(57)【要約】【課題】開口部を開放・閉鎖する際において、一対の蓋部の開閉動作に対する作業性の向上を図った蓋付き容器を提供すること。【解決手段】蓋付き容器１０は、一対の長辺側側壁部５０と、一対の短辺側側壁部６０と、長辺側側壁部５０の上端部において長辺側側壁部５０の上辺に平行な回動軸を介して回動可能に支持され、長辺側側壁部５０の上辺及び短辺側側壁部６０の上辺で形成された開口部７０を開放する開位置と、開口部７０を閉鎖する閉位置との間で変位する一対の蓋部２０Ａ，２０Ｂとを備える。一対の蓋部２０Ａ，２０Ｂでは、長辺側側壁部５０の中央部における、回動軸の軸心から遠心方向の縁辺３２までの距離が、長辺側側壁部５０の上辺の両端部におけるよりも長く、一対の蓋部２０Ａ，２０Ｂが閉位置にある状態では、縁辺３２を含む先端縁部３４同士が開口部７０で上下に重なる。【選択図】図８
2019127268.tif 000002
【特許請求の範囲】
【請求項１】
略矩形状をなし、相対する一対の第１側辺と、相対する一対の第２側辺とを有する底壁部と、
前記底壁部の前記一対の第１側辺から上方へ延び出す一対の第１側壁部と、
前記底壁部の前記一対の第２側辺から上方へ延び出す一対の第２側壁部と、
前記一対の第１側壁部の上端部において該一対の第１側壁部の上辺に平行な回動軸を介して回動可能に支持され、該一対の第１側壁部の上辺及び前記一対の第２側壁部の上辺で形成された開口部を開放する開位置と、該開口部を閉鎖する閉位置との間で変位する一対の蓋部とを備え、
前記一対の蓋部では、前記一対の第１側壁部の上辺の中央部における、前記回動軸の軸心から遠心方向の縁辺までの距離が、該一対の第１側壁部の上辺の一端部におけるよりも長く、
前記一対の蓋部が前記閉位置にある状態では、前記縁辺を含む該一対の蓋部の先端縁部同士が前記開口部で上下に重なることを特徴とする蓋付き容器。
【請求項２】
前記一対の蓋部では、前記一対の第１側壁部の上辺の中央部における、前記先端縁部同士が前記開口部で上下に重なる部分が、該一対の第１側壁部の上辺の両端部におけるよりも大きいことを特徴とする請求項１に記載の蓋付き容器。
【請求項３】
前記縁辺は、前記一対の第１側壁部の上辺の中央部に向かうに連れて前記距離が長くなるアーチ状であることを特徴とする請求項１又は請求項２に記載の蓋付き容器。
【請求項４】
前記一対の蓋部の裏面であって、該一対の蓋部が前記閉位置にある状態で前記底壁部と対向する面において、前記縁辺の近傍に突設された補強リブを備え、
前記一対の蓋部が前記閉位置にある状態では、前記補強リブは、前記裏面に設けられた他の突設物よりも突出長が長いことを特徴とする請求項１乃至請求項３のいずれか一つに記載の蓋付き容器。
【発明の詳細な説明】
【技術分野】
【０００１】
本発明は、一対の蓋部の先端縁部同士が重なる蓋付き容器に関するものである。
【背景技術】
【０００２】
従来より、一対の蓋部の先端縁部同士が重なる蓋付き容器に関し、種々の技術が提案されている。
【０００３】
例えば、下記特許文献１に記載の技術は、容器の蓋の構造であって、上方が開口した箱型の本体の対向する開口縁に各々蓋半体を回動自在に枢支連結し、一方の蓋半体の先端縁の一部から重ね片を突出するとともに残りの部分に重ね受け部を形成し、他方の蓋半体の一部に重ね受け部を形成するとともに残りの部分の先端縁から突出させて重ね片を形成し、重ね片の裏面に係合突条を突出するとともに重ね受け部に係合凹溝を形成し、係合突条を係合凹溝に係合して重ね片を重ね受け部に重ねる容器の蓋の構造であって、重ね片の裏面側において、重ね片の先端縁と係合突条の先端部とを連ねる傾斜ガイドを設けて成ることを特徴とする。
【０００４】
このような構成によれば、傾斜ガイドによって、係合突条が対向する蓋半体の先端縁に突っかかることがなく、重ね片を重ね受け部に円滑に重ねることができ、容易に蓋半体を重ねて蓋をできることから、洗浄を自動的におこなう洗浄ライン化が可能になる。
【先行技術文献】
【特許文献】
【０００５】
【特許文献１】特開２００１−７２１０４号公報
【発明の概要】
【発明が解決しようとする課題】
【０００６】
しかしながら、本体の開口を閉鎖する場合には、両方の蓋半体を同時に開口側へ回動させることによって、両方の蓋半体を閉じながら略合掌姿勢にしなければならないことから、作業性の低下を招いていた。
【０００７】
さらに、本体の開口の一部を開放する場合、例えば、容器内の中身をチェックする等の場合でも、両方の蓋半体を開けながら略合掌姿勢にしなければならなかった。つまり、一方の蓋半体を開口側とは反対側へ回動させれば済むにもかかわらず、両方の蓋半体を同時に開口側とは反対側へ回動させる必要があることから、作業性の低下を招いていた。
【０００８】
そこで、本発明は、上述した点を鑑みてなされたものであり、開口部を開放・閉鎖する際において、一対の蓋部の開閉動作に対する作業性の向上を図った蓋付き容器を提供することを課題とする。
【課題を解決するための手段】
【０００９】
この課題を解決するためになされた請求項１に係る発明は、蓋付き容器であって、略矩形状をなし、相対する一対の第１側辺と、相対する一対の第２側辺とを有する底壁部と、底壁部の一対の第１側辺から上方へ延び出す一対の第１側壁部と、底壁部の一対の第２側辺から上方へ延び出す一対の第２側壁部と、一対の第１側壁部の上端部において一対の第１側壁部の上辺に平行な回動軸を介して回動可能に支持され、一対の第１側壁部の上辺及び一対の第２側壁部の上辺で形成された開口部を開放する開位置と、開口部を閉鎖する閉位置との間で変位する一対の蓋部とを備え、一対の蓋部では、一対の第１側壁部の上辺の中央部における、回動軸の軸心から遠心方向の縁辺までの距離が、一対の第１側壁部の上辺の一端部におけるよりも長く、一対の蓋部が閉位置にある状態では、縁辺を含む一対の蓋部の先端縁部同士が開口部で上下に重なることを特徴とする。
【００１０】
請求項２に係る発明は、請求項１に記載の蓋付き容器であって、一対の蓋部では、一対の第１側壁部の上辺の中央部における、先端縁部同士が開口部で上下に重なる部分が、一対の第１側壁部の上辺の両端部におけるよりも大きいことを特徴とする。
【００１１】
請求項３に係る発明は、請求項１又は請求項２に記載の蓋付き容器であって、縁辺は、一対の第１側壁部の上辺の中央部に向かうに連れて距離が長くなるアーチ状であることを特徴とする。
【００１２】
請求項４に係る発明は、請求項１乃至請求項３のいずれか一つに記載の蓋付き容器であって、一対の蓋部の裏面であって、一対の蓋部が閉位置にある状態で底壁部と対向する面において、縁辺の近傍に突設された補強リブを備え、一対の蓋部が閉位置にある状態では、補強リブは、裏面に設けられた他の突設物よりも突出長が長いことを特徴とする。
【発明の効果】
【００１３】
請求項１に係る発明の蓋付き容器では、一対の蓋部において、一対の第１側壁部の上辺の中央部における、回動軸の軸心から遠心方向の縁辺までの距離が、一対の第１側壁部の上辺の一端部におけるよりも長い。さらに、一対の蓋部が閉位置にある状態では、縁辺を含む一対の蓋部の先端縁部同士が開口部で上下に重なる。
【００１４】
そのような構造であれば、開口部を閉鎖する場合には、一方の蓋部を閉位置に変位させた後で他方の蓋部を閉位置に変位させてもよいし、逆に、他方の蓋部を閉位置に変位させた後で一方の蓋部を閉位置に変位させてもよい。つまり、一対の蓋部のうち、いずれの蓋部を先に閉位置に変位させてもよいので、一対の蓋部を同時に変位させて略合掌姿勢にする必要がない。そのため、開口部を閉鎖する際において、一対の蓋部の閉動作に対する作業性が向上する。
【００１５】
また、開口部の一部を開放する場合には、一対の蓋部のうち、先端縁部が上側にある蓋部を開位置に向けて変位させればよいので、一対の蓋部を同時に変位させて略合掌姿勢にする必要がない。そのため、開口部を開放する際において、一対の蓋部の開動作に対する作業性（ひいては、利便性等）が向上する。
【００１６】
また、一対の蓋部について、回動軸の軸心から遠心方向の縁辺までの距離が、一対の第１側壁部の上辺の中央部から一端部に亘って等しい場合と比べると、一対の蓋部が閉位置にある状態において、一対の蓋部の変形等が抑制され、ひいては、一対の蓋部の間に隙間が形成されることが抑制される。
【００１７】
さらに、一対の蓋部が閉位置にある状態において、一対の蓋部にその上側から荷重が作用しても、一対の蓋部の間に隙間が形成され難く、一対の蓋部が下方に撓んだ状態で先端縁部同士が突き合わされて係止することも抑制される。
【００１８】
請求項２に係る発明では、一対の蓋部において、一対の第１側壁部の上辺の中央部における、先端縁部同士が開口部で上下に重なる部分が、一対の第１側壁部の上辺の両端部におけるよりも大きい。そのため、上述した各効果が効率的に発揮される。
【００１９】
請求項３に係る発明の蓋付き容器では、一対の蓋部の縁辺がアーチ状であるので、一対の蓋部の先端縁部同士が上下に重なる構造を確保しつつも、一対の蓋部の大きさが抑制される。そのため、一対の蓋部の重量増加及びコスト高が抑制される。
【００２０】
請求項４に係る発明の蓋付き容器では、一対の蓋部の裏面において、縁辺の近傍に突設された補強リブが、他の突設物よりも突出長が長い。そのため、一対の蓋部が閉位置にある状態において、一対の蓋部の変形等が一層に抑制され、ひいては、一対の蓋部の間に隙間が形成されることが一層に抑制される。
【図面の簡単な説明】
【００２１】
【図１】本発明の一実施形態である蓋付き容器が表された斜視図であって、開口部が一対の蓋部で開放された状態が表された図である。
【図２】同蓋付き容器が表された斜視図であって、開口部が一対の蓋部で閉鎖された状態が表された図である。
【図３】図２の同蓋付き容器が表された平面図である。
【図４】一対の蓋部のうち、一方の蓋部が容器本体から取り外された同蓋付き容器が表された平面図であって、開口部の半分が他方の蓋部で閉鎖された状態が表された図である。
【図５】容器本体から取り外された一方の蓋部が表側で表された斜視図である。
【図６】図５の一方の蓋部において、縁辺のアーチ形状が誇張されて表された斜視図である。
【図７】容器本体から取り外された一方の蓋部が裏側で表された斜視図である。
【図８】図３の線Ａ−Ａで同蓋付き容器を切断した断面が表された図である。
【図９】変更例の蓋付き容器が表された斜視図であって、開口部が一対の蓋部で開放された状態が表された図である。
【図１０】図９の変更例の蓋付き容器が表された斜視図であって、開口部が一対の蓋部で閉鎖された状態が表された図である。
【図１１】図１０の変更例の蓋付き容器が折り畳まれた状態で表された図である。
【図１２】図１０の変更例の蓋付き容器が表された斜視図であって、上下に段積みされた状態が表された図である。
【発明を実施するための形態】
【００２２】
以下、図１乃至図８を参照にして、本発明を具体化した一実施形態の蓋付き容器１０について説明する。
【００２３】
（１）蓋付き容器１０の概要
図１乃至図４に表すように、蓋付き容器１０は、容器本体１２、及び一対の蓋部２０Ａ，２０Ｂを備えており、ポリプロピレン等の樹脂を材料とした金型成形によって作られている。容器本体１２は、底壁部４０、一対の長辺側側壁部５０、及び一対の短辺側側壁部６０等を備えている。
【００２４】
尚、図１乃至図４において、符号Ｄ１の方向は、上下方向（つまり、蓋付き容器１０の高さ方向）を示している。符号Ｄ２の方向は、底壁部４０、長辺側側壁部５０、及び一対の蓋部２０Ａ，２０Ｂの幅方向を示している。符号Ｄ３の方向は、短辺側側壁部６０の幅方向を示している。各方向Ｄ１，Ｄ２，Ｄ３は、互いに直交する関係にある。これらの点は、後述する他の図においても、同様である。
【００２５】
（２）容器本体１２の概要
底壁部４０は、略矩形状をなし、相対する一対の長辺４２、及び相対する一対の短辺４４を備えている。底壁部４０の各長辺４２からは、各長辺側側壁部５０が上方向へ延出している。底壁部４０の各短辺４４からは、各短辺側側壁部６０が上方向へ延出している。底壁部４０の上方には、各長辺側側壁部５０の上辺５２、及び各短辺側側壁部６０の上辺６２によって、容器本体１２の開口部７０が形成されている。これにより、容器本体１２は、上面が開放された直方体状に形作られている。
【００２６】
各長辺側側壁部５０の上端部５４には、５つの長辺側位置決め凸部５６が設けられている。各長辺側位置決め凸部５６は、上方向へ突出し、第１所定間隔を空けて設けられている。各長辺側位置決め凸部５６は、蓋付き容器１０が上下に段積みされた際において、上段側の蓋付き容器１０の底壁部４０と係合することによって、上段側の蓋付き容器１０の位置決めを行う。さらに、各長辺側位置決め凸部５６には、互いに対向する側面において、軸受部５８が設けられている。
【００２７】
これに対して、各短辺側側壁部６０の上端部６４には、２つの短辺側位置決め凸部６６が設けられている。各短辺側位置決め凸部６６は、上方向へ突出し、短辺側側壁部６０の幅方向Ｄ３において、各長辺側側壁部５０から等しい距離の位置に設けられている。さらに、各短辺側側壁部６０の上端部６４には、一対の位置決め穴６８が設けられている。各位置決め穴６８は、短辺側側壁部６０の幅方向Ｄ３において、短辺側側壁部６０の中央付近に設けられている。
【００２８】
各短辺側側壁部６０の上端部６４には、容器本体１２の外側の端部が切り欠かれた状態の傾斜面である、ガイド部６９が設けられている。ガイド部６９は、長辺側側壁部５０の幅方向Ｄ２に沿って容器本体１２の外側へ向かうに連れて下方向へ傾斜している。
【００２９】
（３）各蓋部２０Ａ，２０Ｂの詳細
各蓋部２０Ａ，２０Ｂは、後述するようにして、各長辺側側壁部５０の上端部５４において回動自在に支持されている。これにより、各蓋部２０Ａ，２０Ｂは、図１に表す開位置と、図２に表す閉位置との間で変位することが可能である。図１に表す開位置（以下、「開位置」という）では、各蓋部２０Ａ，２０Ｂが長辺側側壁部５０の外側で吊り下がった状態にあることによって、容器本体１２の開口部７０が開放されている。これに対して、図２に表す閉位置（以下、「閉位置」という）では、各蓋部２０Ａ，２０Ｂが短辺側側壁部６０に載上された状態にあることによって、容器本体１２の開口部７０が閉鎖されている。
【００３０】
各蓋部２０Ａ，２０Ｂは、同一形状を有している。そこで、以下では、図３乃至図８を参照して蓋部２０Ａについて詳細に説明し、蓋部２０Ｂの説明は省略する。蓋部２０Ａは、略矩形状の蓋本体２２を備えている。
【００３１】
蓋本体２２には、蓋部２０Ａの幅方向Ｄ２の両端において、ガイド部２４が設けられている。各ガイド部２４は、蓋部２０Ａが閉位置にある状態において、蓋部２０Ａの幅方向Ｄ２に沿って容器本体１２の外側へ向かうに連れて下方向へ傾斜しており、容器本体１２の各ガイド部６９に沿った状態で載上している。
【００３２】
各ガイド部２４は、蓋付き容器１０が上下に段積みされた際において、上段側の蓋付き容器１０を持ち運ぶ際のハンドリング性を高める。なぜなら、蓋付き容器１０が上下に段積みされると、上段側の蓋付き容器１０の底壁部４０と下段側の蓋付き容器１０のガイド部２４との間において、作業者の指を挿入することが可能な隙間が形成されるからである。従って、作業者は、その隙間に挿入させた指を上段側の蓋付き容器１０の底壁部４０に掛けることによって、上段側の蓋付き容器１０を持ち運び易くなる。
【００３３】
蓋本体２２には、蓋部２０Ａの幅方向Ｄ２の両端部において、空洞状の短辺側位置決め凸部２６が設けられている。各短辺側位置決め凸部２６は、蓋部２０Ａが閉位置にある状態において、上方向へ突出している。さらに、蓋部２０Ａが閉位置に変位するに伴って、各短辺側位置決め凸部２６では、内部の空洞と連なる開口部が容器本体１２の各短辺側位置決め凸部６６と対向していく。そのため、蓋部２０Ａが閉位置にあると、各短辺側位置決め凸部２６の内部では、その内部の空洞と連なる開口部を介して、容器本体１２の各短辺側位置決め凸部６６が下方向から挿入された状態にある。これにより、各蓋部２０Ａ，２０Ｂが閉位置にある状態において、各蓋部２０Ａ，２０Ｂの位置決めが行われるので、各蓋部２０Ａ，２０Ｂにその上側から荷重が作用しても、各蓋部２０Ａ，２０Ｂの落ち込みが抑制され、ひいては、その落ち込みによる隙間が形成され難い。
【００３４】
各短辺側位置決め凸部２６は、蓋付き容器１０が上下に段積みされた際において、上段側の蓋付き容器１０の底壁部４０と係合することによって、上段側の蓋付き容器１０の位置決めを行う。この点は、容器本体１２の各長辺側位置決め凸部５６と同様である。
【００３５】
但し、各短辺側位置決め凸部２６は、各蓋部２０Ａ，２０Ｂが閉位置にある状態において、容器本体１２の各長辺側位置決め凸部５６よりも低くなるように設けられている。そのため、上段側の蓋付き容器１０の荷重は、下段側の蓋付き容器１０において、容器本体１２の各長辺側位置決め凸部５６に殆ど作用する。つまり、上段側の蓋付き容器１０の荷重は、下段側の蓋付き容器１０において、各短辺側位置決め凸部２６に殆ど作用しないので、各蓋部２０Ａ，２０Ｂに作用することが抑制される。
【００３６】
蓋本体２２には、一方の長辺側において、４つの軸構成部２８が第２所定間隔を空けて設けられている。各軸構成部２８には、蓋部２０Ａの幅方向Ｄ２と垂直関係にある両側面において、蓋部２０Ａの幅方向Ｄ２と平行な軸部３０が設けられている。
【００３７】
各軸部３０は、容器本体１２の各軸受部５８に嵌装される。これにより、蓋部２０Ａは、各長辺側側壁部５０の上端部５４において回動自在に支持される。この際、各軸部３０の軸心を通る回動軸ＡＸは、容器本体１２の各長辺側側壁部５０の上辺５２に平行な状態にある。
【００３８】
蓋本体２２には、各軸構成部２８が設けられた長辺側とは反対の長辺側において、縁辺３２が設けられている。回動軸ＡＸ（つまり、軸部３０の軸心）から遠心方向（つまり、蓋部２０Ａの奥行方向）の縁辺３２までの距離Ｌは、蓋部２０Ａの幅方向Ｄ２の中央部に向かうに連れて長くなる。そのため、縁辺３２は、図６に誇張して表すように、回動軸ＡＸ（つまり、軸部３０の軸心）から遠心方向へ張り出したアーチ状である。
【００３９】
よって、距離Ｌは、蓋部２０Ａが閉位置にある状態では、容器本体１２の各長辺側側壁部５０の上辺５２の中央部に向かうに連れて長くなる。つまり、容器本体１２において、各長辺側側壁部５０の上辺５２の中央部における距離Ｌは、各長辺側側壁部５０の上辺５２の両端部における距離Ｌよりも長い。
【００４０】
蓋本体２２には、縁辺３２を含んだ先端縁部３４が、蓋部２０Ａの幅方向Ｄ２に沿って設けられている。本実施形態では、図２、図３及び図８に表すように、各蓋部２０Ａ，２０Ｂが閉位置になると、蓋部２０Ａの先端縁部３４が、容器本体１２の開口部７０において、蓋部２０Ｂの先端縁部３４に載上される。その載上部分、つまり、先端縁部３４同士が容器本体１２の開口部７０で上下に重なる部分は、容器本体１２の各長辺側側壁部５０の上辺５２の両端部から中央部に向かうに連れて大きくなる。尚、図２、図３及び図８とは異なり、蓋部２０Ｂの先端縁部３４が蓋部２０Ａの先端縁部３４に載上されることによって、各蓋部２０Ａ，２０Ｂが閉位置に変位されてもよい。
【００４１】
蓋本体２２には、先端縁部３４の両端において、切欠状の湾入部３６が設けられている。蓋部２０Ａの各湾入部３６は、各蓋部２０Ａ，２０Ｂが閉位置にあると、容器本体１２の各短辺側側壁部６０の上端部６４において、蓋部２０Ｂの各湾入部３６と重なる。これにより、各蓋部２０Ａ，２０Ｂが閉位置にある状態では、容器本体１２の各短辺側側壁部６０の上端部６４において、蓋部２０Ａの先端縁部３４と蓋部２０Ｂの先端縁部３４とが重なることはない。そのため、容器本体１２の各短辺側側壁部６０の上端部６４において、各蓋部２０Ａ，２０Ｂの高さ（つまり、蓋付き容器１０の高さ）が抑制される。
【００４２】
蓋本体２２には、情報表示面３７が設けられている。情報表示面３７は、蓋部２０Ａが閉位置にある状態において、上方を向く面であって、ラベルの貼付、印刷、刻印、又は筆記等が行われることによって、蓋付き容器１０に関する情報が表示される面である。
【００４３】
蓋本体２２には、情報表示面３７の外周において、環状凸部３８が設けられている。これにより、蓋本体２２の剛性が向上するので、蓋部２０Ａの変形が防止される。尚、環状凸部３８は、蓋部２０Ａが閉位置にある状態において、下方向へ突出しているが、逆に、上方向へ突出していてもよい。
【００４４】
蓋本体２２には、蓋部２０Ａが閉位置にある状態で底壁部４０と対向する側の面（以下、「裏面」という）において、突起部３９が設けられている。突起部３９は、蓋部２０Ａの幅方向Ｄ２における蓋本体２２の一端部に設けられており、蓋部２０Ａが閉位置に変位するに伴って、容器本体１２の位置決め穴６８に挿入する。これにより、蓋部２０Ａが閉位置にある状態において、蓋部２０Ａの位置決めが行われる。
【００４５】
図７に表すように、蓋本体２２の裏面には、横リブＬＢ１、縦リブＬＢ２、及び補強リブＬＢ３が立設されている。横リブＬＢ１は、蓋部２０Ａの幅方向Ｄ２に沿って設けられている。縦リブＬＢ２は、蓋部２０Ａの幅方向Ｄ２とは直交する方向（つまり、蓋部２０Ａの奥行方向であって、蓋部２０Ａが閉位置にある状態において、短辺側側壁部６０の幅方向Ｄ３）に沿って設けられている。横リブＬＢ１及び縦リブＬＢ２は、互いに直交した状態で設けられている。
【００４６】
補強リブＬＢ３は、格子状のリブである。補強リブＬＢ３は、縁辺３２に隣接する位置において、蓋部２０Ａの幅方向Ｄ２に沿って設けられている。補強リブＬＢ３には、縦リブＬＢ２が連なっている。図８に表すように、補強リブＬＢ３は、横リブＬＢ１、縦リブＬＢ２、及び環状凸部３８と比べると、蓋本体２２から突出する長さが長い。つまり、補強リブＬＢ３は、蓋本体２２の裏面に設けられた他の突出物よりも突出長が長い。
【００４７】
（４）まとめ
以上詳細に説明した通り、本実施形態の蓋付き容器１０では、各蓋部２０Ａ，２０Ｂにおいて、各長辺側側壁部５０の上辺５２の中央部における、回動軸ＡＸ（つまり、軸部３０の軸心）から遠心方向（つまり、各蓋部２０Ａ，２０Ｂの奥行方向）の縁辺３２までの距離Ｌが、長辺側側壁部５０の上辺５２の両端部におけるよりも長い。さらに、各蓋部２０Ａ，２０Ｂが閉位置にある状態では、縁辺３２を含む各蓋部２０Ａ，２０Ｂの先端縁部３４同士が、開口部７０で上下に重なる。
【００４８】
そのような構造であれば、開口部７０を閉鎖する場合には、蓋部２０Ｂを閉位置に変位させた後で蓋部２０Ａを閉位置に変位させてもよいし、逆に、蓋部２０Ａを閉位置に変位させた後で蓋部２０Ｂを閉位置に変位させてもよい。つまり、各蓋部２０Ａ，２０Ｂのうち、いずれの蓋部２０Ａ，２０Ｂを先に閉位置に変位させてもよいので、各蓋部２０Ａ，２０Ｂを同時に変位させて略合掌姿勢にする必要がない。そのため、開口部７０を閉鎖する際において、各蓋部２０Ａ，２０Ｂの閉動作に対する作業性が向上する。
【００４９】
また、開口部７０の一部を開放する場合には、各蓋部２０Ａ，２０Ｂのうち、先端縁部３４が上側にある蓋部２０Ａ，２０Ｂを開位置に向けて変位させればよいので、各蓋部２０Ａ，２０Ｂを同時に変位させて略合掌姿勢にする必要がない。そのため、開口部７０を開放する際において、各蓋部２０Ａ，２０Ｂの開動作に対する作業性（ひいては、利便性等）が向上する。
【００５０】
また、各蓋部２０Ａ，２０Ｂについて、回動軸ＡＸ（つまり、軸部３０の軸心）から遠心方向（つまり、各蓋部２０Ａ，２０Ｂの奥行方向）の縁辺３２までの距離Ｌが、各長辺側側壁部５０の上辺５２の中央部から一端部に亘って等しい場合と比べると、各蓋部２０Ａ，２０Ｂが閉位置にある状態において、各蓋部２０Ａ，２０Ｂの変形等が抑制され、ひいては、各蓋部２０Ａ，２０Ｂの間に隙間が形成されることが抑制される。
【００５１】
さらに、各蓋部２０Ａ，２０Ｂが閉位置にある状態において、各蓋部２０Ａ，２０Ｂにその上側から荷重が作用しても、各蓋部２０Ａ，２０Ｂの間に隙間が形成され難く、各蓋部２０Ａ，２０Ｂが下方に撓んだ状態で先端縁部３４同士が突き合わされて係止することも抑制される。
【００５２】
本実施形態の蓋付き容器１０では、各蓋部２０Ａ，２０Ｂが閉位置にある状態において、各長辺側側壁部５０の上辺５２の中央部における、先端縁部３４同士が開口部７０で上下に重なる部分は、各長辺側側壁部５０の上辺５２の両端部におけるよりも大きい。そのため、上述した各効果が効率的に発揮される。
【００５３】
本実施形態の蓋付き容器１０では、各蓋部２０Ａ，２０Ｂの縁辺３２がアーチ状であるので、各蓋部２０Ａ，２０Ｂの先端縁部３４同士が上下に重なる構造を確保しつつも、各蓋部２０Ａ，２０Ｂの大きさが抑制される。そのため、各蓋部２０Ａ，２０Ｂの重量増加及びコスト高が抑制される。さらに、各蓋部２０Ａ，２０Ｂが同一形状であることから、コスト高が一層に抑制される。
【００５４】
本実施形態の蓋付き容器１０では、各蓋部２０Ａ，２０Ｂの蓋本体２２の裏面において、縁辺３２に隣接する位置に設けられた補強リブＬＢ３が、他の突設物（つまり、横リブＬＢ１、縦リブＬＢ２、及び環状凸部３８）よりも突出長が長い。そのため、各蓋部２０Ａ，２０Ｂが閉位置にある状態において、各蓋部２０Ａ，２０Ｂの変形等が一層に抑制され、ひいては、各蓋部２０Ａ，２０Ｂの間に隙間が形成されることが一層に抑制される。
【００５５】
ちなみに、本実施形態において、環状凸部３８は、「他の突設物」の一例である。一対の長辺４２は、「一対の第１側辺」の一例である。一対の短辺４４は、「一対の第２側辺」の一例である。一対の長辺側側壁部５０は、「一対の第１側壁部」の一例である。一対の長辺側側壁部５０の上辺５２は、「一対の第１側壁部の上辺」の一例である。一対の長辺側側壁部５０の上端部５４は、「一対の第１側壁部の上端部」の一例である。一対の短辺側側壁部６０は、「一対の第２側壁部」の一例である。一対の短辺側側壁部６０の上辺６２は、「一対の第２側壁部の上辺」の一例である。横リブＬＢ１は、「他の突設物」の一例である。縦リブＬＢ２は、「他の突設物」の一例である。
【００５６】
（５）変更例
尚、本発明は上記実施形態に限定されるものでなく、その趣旨を逸脱しない範囲で様々な変更が可能である。
【００５７】
例えば、各蓋部２０Ａ，２０Ｂの縁辺３２は、例えば、三角形状又は台形状であってもよい。
【００５８】
また、各蓋部２０Ａ，２０Ｂにおいて、各長辺側側壁部５０の上辺５２の中央部における、回動軸ＡＸ（つまり、軸部３０の軸心）から遠心方向（つまり、各蓋部２０Ａ，２０Ｂの奥行方向）の縁辺３２までの距離Ｌは、長辺側側壁部５０の上辺５２の一端部におけるよりも長く、他端部におけるよりも短い場合であってもよい。
【００５９】
また、各蓋部２０Ａ，２０Ｂにおいて、各短辺側位置決め凸部２６は、貫通孔であってもよい。この場合には、各蓋部２０Ａ，２０Ｂが閉位置にあると、その貫通孔に対して、容器本体１２の各短辺側位置決め凸部６６が下方向から挿入された状態になる。
【００６０】
また、本発明は、上記の蓋付き容器１０に代えて、図９乃至図１２に表す蓋付き容器１００に適用されてもよい。以下、蓋付き容器１００を説明するが、上記の蓋付き容器１０と同じ部分については、同一の符号を付し、詳しい説明は省略する。
【００６１】
蓋付き容器１００は、容器本体１０２を備えている。容器本体１０２は、上記の容器本体１２に相当する。容器本体１０２は、底壁部１０４、一対の長辺側側壁部１０６、及び一対の短辺側側壁部１０８等を備えている。底壁部１０４、一対の長辺側側壁部１０６、及び一対の短辺側側壁部１０８は、上記の底壁部４０、一対の長辺側側壁部５０、及び一対の短辺側側壁部６０に相当する。
【００６２】
但し、各長辺側側壁部１０６は、上長辺側側壁部１０６Ａ及び下長辺側側壁部１０６Ｂを備えている。また、各長辺側側壁部１０６の上端部及び各短辺側側壁部１０８の上端部に沿って、四角枠状の枠体１１０が設けられている。さらに、枠体１１０には、短辺側側壁部１０８の幅方向Ｄ３の中央において、下方の端部が切り欠けられた状態の容器手持ち部１１２が設けられている。
【００６３】
さらに、枠体１１０の内側縁辺によって、容器本体１０２の開口部７０が形成されている。枠体１１０の上面には、上記の長辺側位置決め凸部５６、短辺側位置決め凸部６６、位置決め穴６８、及びガイド部６９が設けられている。
【００６４】
容器本体１０２は、折畳み可能に構成されている。そのために、上長辺側側壁部１０６Ａが枠体１１０と回動可能に連結されると共に、下長辺側側壁部１０６Ｂが底壁部１０４と回動可能に連結されている。さらに、上長辺側側壁部１０６Ａ及び下長辺側側壁部１０６Ｂは、互いに回動可能に連結されている。本変更例では、上長辺側側壁部１０６Ａと下長辺側側壁部１０６Ｂとの連結部が容器本体１０２の内側へ押し込まれることで、上長辺側側壁部１０６Ａの外面と下長辺側側壁部１０６Ｂの外面とが合わさるようにして、各長辺側側壁部１０６の折り畳みが可能にされている。
【００６５】
それに加えて、各短辺側側壁部１０８は、枠体１１０と回動可能に連結されている。本変更例では、各短辺側側壁部１０８が容器本体１０２の内側へ押し込まれることで、各短辺側側壁部１０８が略水平に延在するまで回動可能にされている。
【００６６】
従って、作業者は、以下のような手順によって、容器本体１０２を、図９及び図１０に表す組立状態から、図１１に表す折り畳み状態にすることが可能である。つまり、作業者は、先ず、各短辺側側壁部１０８を容器本体１０２の内側へ押圧して略水平に延在するまで回動し（跳ね上げ）、その後、各長辺側側壁部１０６を容器本体１０２の内側へ押圧して折り曲げる。これにより、容器本体１０２において、各長辺側側壁部１０６及び各短辺側側壁部１０８が、底壁部１０４の上方で折り畳まれる。
【００６７】
図１２に表すように、変更例の蓋付き容器１００は、上下に段積みされることが可能である。この場合には、上段側の蓋付き容器１００Ａの底壁部１０４と下段側の蓋付き容器１００Ｂのガイド部２４との間において、作業者の指を挿入することが可能な隙間が形成される。従って、作業者は、その隙間に挿入させた指を上段側の蓋付き容器１００Ａの底壁部１０４に掛けることによって、上段側の蓋付き容器１００Ａを持ち運び易くなる。これによって、ハンドリング性が高められる。
【００６８】
さらに、上段側の蓋付き容器１００Ａと下段側の蓋付き容器１００Ｂにおいて、作業者は、例えば、親指以外の指を枠体１１０の容器手持ち部１１２に掛けることによって、上段側の蓋付き容器１００Ａ又は下段側の蓋付き容器１００Ｂを持ち上げることが可能である。その際、各蓋部２０Ａ，２０Ｂのガイド部２４は、枠体１１０の外側へ向かうに連れて下方に傾斜していることから、作業者が親指を置きやすい形状になっている。これによっても、ハンドリング性が高められる。
【００６９】
ちなみに、本変更例において、一対の長辺側側壁部１０６は、「一対の第１側壁部」の一例である。一対の短辺側側壁部１０８は、「一対の第２側壁部」の一例である。
【符号の説明】
【００７０】
１０  蓋付き容器
２０Ａ，２０Ｂ  一対の蓋部
３２  縁辺
３４  先端縁部
３８  環状凸部
４０  底壁部
４２  一対の長辺
４４  一対の短辺
５０  一対の長辺側側壁部
５２  一対の長辺側側壁部の上辺
５４  一対の長辺側側壁部の上端部
６０  一対の短辺側側壁部
６２  一対の短辺側側壁部の上辺
７０  開口部
１００  蓋付き容器
１００Ａ  上段側の蓋付き容器
１００Ｂ  下段側の蓋付き容器
１０４  底壁部
１０６  一対の長辺側側壁部
１０８  一対の短辺側側壁部
ＡＸ  回動軸（の軸心）
Ｌ  回動軸（の軸心）から遠心方向の縁辺までの距離
ＬＢ１  横リブ
ＬＢ２  縦リブ
ＬＢ３  補強リブ
【図１】
2019127268.tif 000003
【図２】
2019127268.tif 000004
【図３】
2019127268.tif 000005
【図４】
2019127268.tif 000006
【図５】
2019127268.tif 000007
【図６】
2019127268.tif 000008
【図７】
2019127268.tif 000009
【図８】
2019127268.tif 000010
【図９】
2019127268.tif 000011
【図１０】
2019127268.tif 000012
【図１１】
2019127268.tif 000013
【図１２】
2019127268.tif 000014